(57)【要約】【課題】本発明の目的は、住宅に既設の電灯線をネットワーク網として利用することと、既存の電気機器のままでの住宅ネットワーク構築を可能とすることで導入の簡素化を図り、また、それぞれ制御通信装置を電気機器の付近に配置することで、無線通信を確実に成立させ、さらには電力の省エネも期待できるような制御通信装置を提供すること。【解決手段】本発明では、無線通信装置６０，６４〜７４から送信された無線信号を受信し、それぞれ電気機器４０〜５４と無線通信可能とする送受信部１２０，１２４〜１３４を持つ制御通信装置２０，２４〜３４を住宅に既設の電灯線１０に接続し、電灯線１０を介してそれぞれ電気機器４０〜５４を連動制御することで、家庭内の電力消費量を極力削減することが可能となる。【選択図】  図６
2004201200.tif 000002
【特許請求の範囲】
【請求項１】
家庭内の電気機器と直接通信する手段と、前記電気機器へ電力を供給する電灯線に制御信号を流す手段と、を有することを特徴とする制御通信装置。
【請求項２】
それぞれ制御通信装置に、各々を識別するための識別子を割当てることによりそれぞれ制御通信装置が相互に通信可能となる手段を有することを特徴とする請求項１記載の制御通信装置。
【請求項３】
制御通信装置と家庭内電気機器の通信を確立する為に前記識別子と一つの家庭内電気機器の関連付けを行なう機能を有することを特徴とする請求項１又は２記載の制御通信装置。
【請求項４】
無線コード受信部を搭載した一つの電気機器に対して制御信号を無線送信する手段と、
無線コードを受信する手段と、
無線コードに基づき他の制御通信装置との相互通信を可能とするプログラムの格納手段を備え、入力された無線コードをデコードし、他の制御通信装置へ電灯線を介して制御信号として送信する、もしくは前記電気機器に制御信号を送信する手段と、
を有することを特徴とする請求項１から３何れか一項記載の制御通信装置。
【請求項５】
請求項３記載の制御通信装置に於いて、制御通信装置と家庭内電気機器の通信を確立する為に前記識別子と全ての家庭内電気機器の関連付けを行なう機能を有することを特徴とする請求項１又は２記載の制御通信装置。
【請求項６】
無線コード受信部を搭載した全ての電気機器に対して制御信号を無線送信する手段と、
無線コードを受信する手段と、
を有することを特徴とする請求項１，２，５何れか一項記載の制御通信装置。
【請求項７】
操作部を持ち、入力された制御情報を家庭内電気機器に送信する手段と、
前記制御情報を電灯線を介して他の制御通信装置に送信する手段と、
を有することを特徴とする請求項１から６何れか一項記載の制御通信装置。
【請求項８】
請求項１から７何れか一項記載の制御通信装置から電灯線を介してそれぞれ電気機器の制御情報を収集し管理および保持する手段と、
前記制御情報を信号化して送信する手段と、
を有することを特徴とする識別子管理装置。
【請求項９】
請求項８記載の識別子管理装置から送信された制御情報信号を受信する手段と、
受信した前記制御情報信号を視覚的に表示する手段と、
を有することを特徴とする表示装置。
【請求項１０】
請求項８記載の識別子管理装置から送信された制御情報信号を、前記電灯線および前記制御通信装置を介して受信する手段と、
各々を識別し前記制御通信装置から送信された信号を受信するための識別子と、を有することを特徴とする請求項９記載の表示装置。
【請求項１１】
請求項１から７何れか一項記載の一つの制御通信装置受信部に向けてリモートコントロール信号を送信する手段を有することを特徴とする無線通信装置。
【請求項１２】
前記全ての制御通信装置に向けてリモートコントロール信号を送信する手段を有することを特徴とする請求項１１記載の無線通信装置。
【請求項１３】
前記複数の制御通信装置に向けてリモートコントロール信号を送信する手段を有することを特徴とする請求項９又は１０記載の表示装置。
【請求項１４】
前記識別子管理装置から送信された制御情報信号を前記全ての制御通信装置を介して無線コードとして受信する手段を有することを特徴とする請求項９，１０，１３何れか一項記載の表示装置。
【請求項１５】
それぞれ電気機器に付属しているリモコンから送信される無線コードを受信する手段と、
受信した前記無線コードを記憶する手段と、
前記無線通信装置から送信されたリモートコントロール信号を受信し、前記無線コードと前記リモートコントロール信号の関連付けを行なうことを可能とする手段と、
を有することを特徴とする請求項１から７何れか一項記載の制御通信装置。
【請求項１６】
複数の電気機器に付属のリモコンから送信された制御情報を前記制御通信装置が受信して、その制御情報を収集する手段を有することを特徴とする請求項８記載の識別子管理装置。
【請求項１７】
設定された時刻になると、前記それぞれ家庭内電気機器に制御情報を送信する手段を有することを特徴とする請求項８又は１６記載の識別子管理装置。
【請求項１８】
人体を検知する手段と、
電源を供給する電灯線に制御信号を流す手段と、
それぞれを識別するためのＩＤと、
前記制御通信装置に制御信号を送信する手段と、
を有することを特徴とする人体検知装置。
【請求項１９】
それぞれ前記無線通信装置から送信された無線コードを受信する手段を有することを特徴とする請求項１８記載の人体検知装置。
【請求項２０】
それぞれ電気機器の制御信号を無線送信する手段を有することを特徴とする請求項１８又は１９記載の人体検知装置。
【請求項２１】
音声を認識する手段と、
認識した音声を制御信号に変換する手段と、
前記制御信号を電灯線を介して他に送信する手段と、
を有することを特徴とする請求項１から７又は１５何れか一項記載の制御通信装置。
【請求項２２】
温度を検知する手段と、
それぞれ識別するための識別子と、
前記温度を信号化し前記識別子管理装置に送信する手段と、
前記制御通信装置に制御信号を送信する手段と、
を有することを特徴とする温度検知装置。
【請求項２３】
照度を検知する手段と、
それぞれ識別するための識別子と、
前記照度を信号化し前記識別子管理装置に送信する手段と、
前記制御通信装置に制御信号を送信する手段と、
を有することを特徴とする照度検知装置。
【請求項２４】
室内に於いてガス漏れをを検知する手段と、
それぞれ識別するための識別子と、
ガス漏れ検知情報を信号化し電灯線を介して前記識別子管理装置に送信する手段を有することを特徴とするガス漏れ検知装置。
【請求項２５】
前記識別子管理装置が前記ガス漏れ検知情報を受信した際に送信した前記制御信号を受信し、警報音を出す手段を有することを特徴とする請求項９，１０，１３，１４何れか一項記載の表示装置。
【請求項２６】
前記請求項４記載の制御通信装置と前記家庭内電気機器間の無線通信に於いて、無線通信の手段として赤外線を用いることを特徴とする情報通信システム。
【請求項２７】
前記請求項４記載の制御通信装置と前記家庭内電気機器間の無線通信に於いて、無線通信の手段として電波を用いることを特徴とする情報通信システム。
【発明の詳細な説明】
【０００１】
【発明の属する技術分野】
本発明は、無線信号受信部を搭載した水回り機器（暖房便座用ヒータ、温水洗浄便座、電気温水器、浴室乾燥機等）を遠隔操作するシステム係り、特に家庭内に既設の電灯線及び無線通信を介して動作状態をモニタリング或いは水回り機器を遠隔操作する、家庭内ネットワークシステムに関する発明である。
【０００２】
【従来の技術】
近年、国をあげての家庭内機器をネットワーク化し、マルチメディア化及び省エネ化の研究が推進されている。
ネットワークとしては、電気機器にリモートコントロール信号を送受信可能な装置を取付け、さらにネットワークケーブルに接続された、リモートコントロール信号送受信装置を電気機器と１対１で設置する構造が知られている（例えば、特許文献１参照。）。
また、電気機器に電力を供給する電灯線にコントローラと電気機器に対して１：１の割合でターミナルを設置し、コントローラによって家庭内の消費電力を管理するものも知られている（例えば、特許文献２参照。）。
更に、外部情報網（放送網,ＣＡＴＶ網,電話網）に接続されているホームコントローラと、インターフェースユニットが接続されている全電気機器との間で、コードレス通信を使用することによるホームネットワークも知られている（特許文献３参照。）。
【０００３】
【特許文献１】
特開２０００−１０２０８０号公報
【特許文献２】
特開平９−８４１４６号公報
【特許文献３】
特開平５−３００５６４号公報
【０００４】
【発明が解決しようとする課題】
上記特許文献１においては、住宅にネットワークケーブルを新規に設置する必要がある。従って、配線工事等の作業を行なう必要があり導入が困難である。また、ユーザーが操作する為のリモコンが別途付属し、このリモコンで電気機器に対して制御信号を無線送信し、その制御信号を電気機器内蔵のマイコンで解析した後ネットワーク網を介して他の電気機器の遠隔操作を行なう。この提案だと、住宅に新たにネットワークケーブルを引く必要があり配線工事の必要性があるため、ユーザーにとって導入が困難である。そして、電気機器に無線信号送受信機を組み込まなければ遠隔操作ができないため、電気機器を新しく買いなおす必要もある。さらに、制御情報の表示手段としてテレビを使用しているため設置場所が制限されるという問題もある。
【０００５】
特許文献２においては、電力会社との契約により定められている最大消費電力量の超過を気にすることなく電気機器の電源をＯＮ・ＯＦＦできる。つまり、コントローラによって管理することで、ブレーカーが落ちるのを防止することができ、また併せて電気料金等も管理することができるが、ネットワーク利用による電気機器の制御が電源のＯＮ・ＯＦＦのみに制限されるため、コントローラの自動制御による電力省エネは期待できないという問題がある。
【０００６】
特許文献３においては、各家庭にコントローラを１台設置し、家庭内の全電気機器を１台のコントローラからの無線信号で制御するものであるが、無線信号の到達距離が大きな問題として存在する。
【０００７】
本発明は、上記問題を解決するためになされたもので、本発明の目的は、家庭内に既設の電灯線を媒体とした家庭内ネットワークシステムにおいて、住宅に既設の電灯線をネットワーク網として利用することと、既存の電気機器のままでの住宅ネットワーク構築を可能とすることで導入の簡素化を図り、また、それぞれ制御通信装置を電気機器の付近に配置することで、無線通信を確実に成立させ、さらには電力の省エネも期待できるような制御通信装置を提供することにある。
【０００８】
【課題を解決するための手段】
請求項１の発明は、家庭内の電気機器と直接通信する手段と、前記電気機器へ電力を供給する電灯線に制御信号を流す手段と、を有することを特徴とする制御通信装置である。
【０００９】
請求項１の発明によれば、住宅に既設の電灯線をネットワーク網として利用するので配線工事の手間を省くことができ、導入の簡素化を図ることが可能となると考えられる。
【００１０】
請求項２の発明は、それぞれ制御通信装置に、各々を識別するための識別子を割当てることによりそれぞれ制御通信装置が相互に通信可能となる手段を有することを特徴とする。
【００１１】
請求項２の発明によれば、各制御通信装置に識別子を割当てそれぞれを認識させることにより相互通信が可能になる。つまり、各機器の連動制御が可能となるため電力省エネの期待ができる。
【００１２】
請求項３の発明は、制御通信装置と家庭内電気機器の通信を確立する為に前記識別子と一つの家庭内電気機器の関連付けを行なう機能を有することを特徴とする。
【００１３】
請求項３の発明によれば、それぞれ制御通信装置がもつ識別子と家庭内電気機器との関連付けを行なうことによって、制御通信装置による家庭内電気機器の制御を可能にすることができる。
【００１４】
請求項４の発明は、無線コード受信部を搭載した一つの電気機器に対して制御信号を無線送信する手段と、無線コードを受信する手段と、無線コードに基づき他の制御通信装置との相互通信を可能とするプログラムの格納手段を備え、入力された無線コードをデコードし、他の制御通信装置へ電灯線を介して制御信号として送信する、もしくは前記電気機器に制御信号を送信する手段と、を有することを特徴とする。
【００１５】
請求項４の発明によれば、制御通信装置がそれぞれ一つの電気機器に対して無線コードを送信し制御可能とすることで、各電気機器と電灯線との間をワイヤレス化することが可能となる。また、入力された無線コードを制御通信装置内でデコードし、識別子等を判断することによって電灯線を介して他の制御通信装置との相互通信、あるいは制御通信装置から各電気機器へ無線コードを送信することで、制御通信装置による電気機器の制御が可能となる。
【００１６】
請求項５の発明は、請求項３記載の制御通信装置に於いて、制御通信装置と家庭内電気機器の通信を確立する為に前記識別子と全ての家庭内電気機器の関連付けを行なう機能を有することを特徴とする。
【００１７】
請求項５の発明によれば、制御通信装置と電気機器の割合を１対多数とすることによって、少数の通信制御装置によって家庭内ネットワークを構築することが可能となる。
【００１８】
請求項６の発明は、無線コード受信部を搭載した全ての電気機器に対して制御信号を無線送信する手段と、無線コードを受信する手段と、を有することを特徴とする。
【００１９】
請求項６の発明によれば、制御通信装置と電気機器の割合を１対多数にし、さらにそれらの間を無線通信可能とすることによって、家庭内ネットワークを容易に構築することが可能となる。
【００２０】
請求項７の発明は、操作部を持ち、前記操作部から入力された制御情報を家庭内電気機器に送信する手段と、前記制御情報を電灯線を介して他の制御通信装置に送信する手段と、を有することを特徴とする。
【００２１】
請求項７の発明によれば、操作部から入力された制御情報を電灯線を介して別の制御通信装置に送信することによって、家庭内電気機器の遠隔操作を可能にすることができる。
【００２２】
請求項８の発明は、請求項１から７記載の制御通信装置から電灯線を介してそれぞれ電気機器の制御情報を収集し管理および保持する手段と、前記制御情報を信号化して送信する手段と、を有することを特徴とする識別子管理装置である。
【００２３】
請求項８の発明によれば、制御通信装置と常時接続することで、それぞれ電気機器へ命令を出した際の情報を収集し保持することによってネットワークに接続されている電気機器の現在の動作状況を管理することができる。またこれらの制御情報を送信する機能を持ち、各機器を制御することが可能となる。
【００２４】
請求項９の発明は、請求項８記載の識別子管理装置から送信された制御情報信号を受信する手段と、受信した前記制御情報信号を視覚的に表示する手段と、
を有することを特徴とする表示装置である。
【００２５】
請求項９の発明によれば、これらの情報を表示装置が受信して画面に表示することによって、ユーザーが電気機器の動作状況を視覚的に確認することができるため、例えば電源がＯＮしている電気機器が明らかに未使用である等の時は速やかに電源をＯＦＦにし、無駄な電力の消費を抑えることが可能となる。
【００２６】
請求項１０の発明は、請求項８記載の識別子管理装置から送信された制御情報信号を、前記電灯線および前記制御通信装置を介して受信する手段を有することを特徴とする。
【００２７】
請求項１０の発明によれば、また、各表示装置への信号伝達をネットワーク及び制御通信装置を介して行ない、また制御通信装置が識別子管理装置から送られてきた情報信号の送信先が表示装置であることを認識するための識別子を表示装置に持たせ、表示装置を好きな場所に設置することが可能となる。
【００２８】
請求項１１の発明は、請求項１から７記載の一つの制御通信装置受信部に向けてリモートコントロール信号を送信する手段を有することを特徴とする無線通信装置である。
【００２９】
請求項１１の発明によれば、ネットワーク上に存在する電気機器を操作することを目的とした無線通信装置であり、表示装置で現在の電気機器の動作状況を確認し、家庭内の電気機器を遠隔操作することで無駄な消費電力を抑えると共に、その場から移動することなく電気機器を遠隔操作できる。
【００３０】
請求項１２の発明は、前記全ての制御通信装置に向けてリモートコントロール信号を送信する手段を有することを特徴とする。
【００３１】
請求項１２の発明によれば、また、全ての制御通信装置に対してリモートコントロール信号を送信する手段を持たせることにより、無線通信装置が住宅内の至る所で使用できるようになる。つまり、部屋と部屋の間で持ち運び自由となる。
【００３２】
請求項１３の発明は、前記複数の制御通信装置に向けてリモートコントロール信号を送信する手段を有することを特徴とする。
【００３３】
請求項１３の発明によれば、さらに、表示装置と無線通信装置を一体化することで、画面を見ながら操作することが可能となる。
【００３４】
請求項１４の発明は、前記識別子管理装置から送信された制御情報信号を前記全ての制御通信装置を介して無線コードとして受信する手段を有することを特徴とする。
【００３５】
請求項１４の発明によれば、全ての制御信号無線送受信装置からの無線コードを受信し制御情報を表示させることが可能なため、例えば昼間は居間、夜は寝室といったように住宅内を自由に移動させることが可能となる。
【００３６】
請求項１５の発明は、それぞれ電気機器に付属しているリモコンから送信される無線コードを受信する手段と、受信した前記無線コードを記憶する手段と、
前記無線通信装置から送信されたリモートコントロール信号を受信し、前記無線コードと前記リモートコントロール信号の関連付けを行なうことを可能とする手段と、を有することを特徴とする。
【００３７】
請求項１５の発明によれば、各電気機器に付属のリモコンと本件記載の無線通信装置のそれぞれ無線コードの関連付けを行なう機能を制御通信装置に持たせることにより、簡単な操作で初期設定を可能とする。また、新しく電気機器を追加で導入する際も同じ作業を行なうだけで簡単に設定することができる。
【００３８】
請求項１６の発明は、複数の電気機器に付属のリモコンから送信された制御情報を前記制御通信装置が受信して、その制御情報を収集する手段を有することを特徴とする。
【００３９】
請求項１６の発明によれば、電気機器に付属のリモコンでそれぞれ電気機器を操作した際の無線コードを制御通信装置も受信し、この情報を識別子管理装置が収集・管理することで、電気機器を如何なる手段で操作しても、常に正確な動作状況を把握することができる。さらに、電気機器に送信部も内蔵することで、電気機器本体で操作された際の操作情報を、電気機器に内蔵の送信部から制御通信装置に送信し、制御通信装置はこの情報を電源線を介して識別子管理装置に送信し管理・保持しても良い。
【００４０】
請求項１７の発明は、設定された時刻になると、前記それぞれ家庭内電気機器に制御情報を送信する手段を有することを特徴とする。
【００４１】
請求項１７の発明によれば、識別子管理装置に対して信号を送信する手段をもった様々な装置によって設定された、日付、時刻、対象機器、制御内容を管理し、それらをスケジュール化してそれぞれ電気機器を自動制御することが可能となる。
【００４２】
請求項１８の発明は、人体を検知する手段と、電源を供給する電灯線に制御信号を流す手段と、それぞれを識別するためのＩＤと、前記制御通信装置に制御信号を送信する手段と、を有することを特徴とする人体検知装置である。
【００４３】
請求項１８の発明によれば、電灯線を介して制御信号を送信できる人体検知装置（センサ）を接続し、さらに識別子によってそれぞれ認識させ、制御通信装置と連動制御（例えば、人が入室した際は照明の電源をＯＮ、或いは退室した際はＯＦＦする）を行なうことによって、ユーザーの手を借りることなく無駄な電力の消費を抑えることが可能となる。
【００４４】
請求項１９の発明は、それぞれ前記無線通信装置から送信された無線コードを受信する手段を有することを特徴とする。
【００４５】
請求項１９の発明によれば、また、無線通信装置から送信された無線信号を人体検知装置が受信し、その制御内容によってそれぞれ制御通信装置に制御信号を電灯線を介して送信することでそれぞれ電気機器の遠隔操作が可能となる。
【００４６】
請求項２０の発明は、それぞれ電気機器の制御信号を無線送信する手段を有することを特徴とする。
【００４７】
請求項２０の発明によれば、制御通信装置と人体検知装置を一体形にすることによってコンパクト化を図り、更なる設置作業の簡素化を図ることができる。
【００４８】
請求項２１の発明は、音声を認識する手段と、認識した音声を制御信号に変換する手段と、前記制御信号を電灯線を介して他に送信する手段と、を有することを特徴とする。
【００４９】
請求項２１の発明によれば、認識した音声を制御信号に変換し、対象の制御通信装置に送信して制御可能にすることで、手を使わずに各電気機器の遠隔操作が可能となる。
【００５０】
請求項２２の発明は、温度を検知する手段と、それぞれ識別するための識別子と、前記温度を信号化し前記識別子管理装置に送信する手段と、前記制御通信装置に制御信号を送信する手段と、を有することを特徴とする温度検知装置。
【００５１】
請求項２２の発明によれば、各室内の温度を常時監視することができ、またそれぞれ制御通信装置に制御信号を送信することで連動制御を可能にすることにより、例えばエアコンの設定温度を自動調整する或いは自動でＯＮ・ＯＦＦするという操作が可能となり、更なる電力省エネが見込める。
【００５２】
請求項２３の発明は、照度を検知する手段と、それぞれ識別するための識別子と、前記照度を信号化し前記識別子管理装置に送信する手段と、前記制御通信装置に制御信号を送信する手段と、を有することを特徴とする照度検知装置である。
【００５３】
請求項２３の発明によれば、各部屋の明るさを検知することによって、例えば夜暗くなるとを閉め、さらに人が入室した際人体検知装置との連動制御によって照明の電源をＯＮする、或いは明るい昼間は人体を検知しても照明の電源をＯＮしない、といったような制御を行なうことが可能となる。
【００５４】
請求項２４の発明は、室内に於いてガス漏れをを検知する手段と、それぞれ識別するための識別子と、ガス漏れを検知したという情報を信号化し電灯線を介して前記識別子管理装置に送信する手段を有することを特徴とするガス漏れ検知装置である。
【００５５】
請求項２４の発明によれば、キッチンやガスストーブが設置されている部屋等に於いてガス漏れがあった際に、前記識別子管理装置に送信し、識別子管理装置によって管理することが可能となる。
【００５６】
請求項２５の発明は、前記識別子管理装置が前記ガス漏れ検知情報を受信した際に送信した前記制御信号を受信し、警報音を出す手段を有することを特徴とする。
【００５７】
請求項２５の発明によれば、前記識別子管理装置がガス漏れの情報を受信した際、スピーカーを搭載した前記表示装置によって、音で警報を発することが可能となる。
【００５８】
請求項２６の発明は、前記制御通信装置と前記家庭内電気機器間の無線通信に於いて、無線通信の手段として赤外線を用いることを特徴とする情報通信システムである。
【００５９】
請求項２７の発明は、前記制御通信装置と前記家庭内電気機器間の無線通信に於いて、無線通信の手段として電波を用いることを特徴とする情報通信システムである。
【００６０】
【発明の実施の形態】
発明の実施の形態について図面を参照して説明する。図１は本発明の一実施の形態の制御通信装置を示すブロック図である。
【００６１】
図１に於いて、制御通信装置２０、電気機器であるエアコン４０はＡＣコード８２０、８４０とＡＣコンセント１１、１２を介して通常一般家庭に既に配線されている電灯線１０より電源を供給される。但し、制御通信装置２０に関してはＡＣコード８２０とＡＣコンセント１１を介して電灯線１０に制御信号を流すことが可能である。また、エアコン４０に関してはＡＣコード８４０とＡＣコンセント１２を介して電灯線１０から電源を供給されるのみである。また、制御通信装置２０とエアコン４０は通信線１００で互いに接続されており、制御通信装置２０から通信線１００を介してエアコン４０に温度設定などの制御信号を送ることによって制御通信装置２０によるエアコン４０の制御が可能となる。
【００６２】
図１の実施の形態によれば、制御通信装置２０はエアコン４０を制御できるばかりでなく、ＡＣコード８２０とＡＣコンセント１１を介して電灯線１０に、例えばここでは図示しない電気温水器の温度を設定するといったような制御信号を流すことが可能である。つまり、電気温水器が遠くに設置されている場合に於いても、電灯線１０を介して制御信号を送ることにより遠隔操作が可能となる。
【００６３】
以降の実施例に於いては、前記実施例と同一または相当する部分については、同一の符号を付し、詳細な説明を省略する。
図２は本発明の一実施の形態の一設置例を示すブロック図である。
【００６４】
図２に於いては、電灯線１０に接続された制御通信装置２０，２４〜３４は、それぞれに無線信号の送受信部１２０，１２４〜１３４と、識別子（以下ＩＤと記述する）２２０，２２４〜２３４を内蔵している。無線信号の受信部１４０〜１５４を内蔵した電気機器（４０〜５４）であるエアコン４０，５１、照明４１，５０，５４、暖房便座、温水洗浄便座および便器を含む温水洗浄便座４２、換気扇４３，４６、食器洗浄機４４、電気温水器４５，４９、給湯器４７，４８、浴室乾燥機５２、気泡風呂５３は部屋１〜４にそれぞれ設置されている。制御通信装置２０，２４〜３４と、エアコン４０，５１、照明５０，５４、暖房便座、換気扇４６、食器洗浄機４４、電気温水器４５，４９、給湯器４７，４８、浴室乾燥機５２、気泡風呂５３との間で無線通信を行い制御通信装置２０，２４〜３４によってエアコン４０，５１、照明５０，５４、暖房便座、換気扇４６、食器洗浄機４４、電気温水器４５，４９、給湯器４７，４８、浴室乾燥機５２、気泡風呂５３の操作を可能とする。但し、制御通信装置２０，２４〜３４と、エアコン４０，５１、照明５０，５４、暖房便座、換気扇４６、食器洗浄機４４、電気温水器４５，４９、給湯器４７，４８、浴室乾燥機５２、気泡風呂５３はそれぞれ一対一で通信可能とする。また、制御通信装置２０，２４〜３４に内蔵されている送受信部１２０，１２４〜１３４に対して無線信号を送信する送信部１６０，１６４〜１７４を内蔵した無線通信装置６０，６４〜７４を、それぞれ制御通信装置２０，２４〜３４に対して一対一で通信可能とする。
【００６５】
図２の実施の形態によれば、それぞれ電気機器の制御の内容としては、エアコン４０，５１は電源のＯＮ／ＯＦＦ，温調，冷房・暖房・除湿設定，タイマー設定、、照明４１，５０，５４は電源のＯＮ／ＯＦＦ、温水洗浄便座４２はおしり洗浄モード設定，ノズル位置調節，暖房便座温調，脱臭機能ＯＮ／ＯＦＦ，ノズル洗浄機能ＯＮ／ＯＦＦ，洗浄水温調，温風乾燥機能ＯＮ／ＯＦＦ，室内暖房温調、換気扇４３，４６は電源のＯＮ／ＯＦＦ、食器洗浄機４４は電源のＯＮ／ＯＦＦ，洗浄モード設定，乾燥モード設定、電気温水器４５，４９は温調，お湯はり，呼び出し設定、給湯器４７，４８は温調，お湯はり，呼び出し設定、浴室乾燥機５２は換気機能ＯＮ／ＯＦＦ，暖房機能ＯＮ／ＯＦＦ，乾燥機能ＯＮ／ＯＦＦ，除湿機能ＯＮ／ＯＦＦ、気泡風呂５３は噴出箇所設定，強さ設定，ろ過洗浄ＯＮ／ＯＦＦが挙げられるが、例えばユーザーが無線通信装置６０に操作内容を入力し、この操作内容が信号化されて送信部１６０から送信され、対応する制御通信装置２０の送受信部１２０によって受信し、受信した制御の情報がエアコン４０の温度の設定であれば、制御通信装置２０に内蔵されている送受信部１２０からエアコン４０に内蔵の受信部１４０に制御の情報を送ることでエアコン４０の操作を可能可能とする。また制御通信装置２０が受信した制御の情報が電気温水器４５の温度設定であれば、それぞれ制御通信装置２０，２４〜３４に割当てられているＩＤ２２０，２２４〜２３４によって送信先を判別した後、制御通信装置２０から電灯線を介してＩＤ２２５を割当てられている制御通信装置２５に情報が伝達され、制御通信装置２５に内蔵されている送受信部１２５から電気温水器４５に内蔵の受信部１４５に制御の情報を送ることで電気温水器４５の操作も可能になる。また、寝室に於いて朝起きてすぐ居間のエアコンの電源をＯＮしたり、トイレの温水洗浄便座の電源をＯＮするといった操作も可能となる。
【００６６】
なお、無線通信の手段として赤外線或いは電波を考えると、それぞれ制御通信装置２０，２４〜３４に内蔵の送受信部１２０，１２４〜１３４に於いて、無線信号を出力する際の赤外光或いは電波拡散性を考えると、部屋１内の制御通信装置２０をエアコン４０、照明４１、温水洗浄便座４２、換気扇４３の全てと無線通信することが可能になる。つまり一対多数の通信を可能にすることができる。すなわち、電灯線に接続されている制御通信装置を各部屋に１台ずつ配置すれば複数の電気機器を操作することができるので、先に述べたように制御通信装置と電気機器の割合を必ずしも一対一にする必要はなく、制御通信装置の設置個数を極力抑えることができる。その際、制御通信装置の設置場所としては、無線信号の送信路に障害物が存在することを避けるべく、天井若しくは天井近傍に設置することが好ましい。
【００６７】
こうすることによって、無線通信装置による電気機器の遠隔操作、例えばや制御通信装置の相互通信、さらには制御通信装置の個数を抑えることができる。
【００６８】
図３は本発明の一実施の形態の制御通信装置を拡大表示したブロック図である。
【００６９】
図３に於いては、電灯線１０に接続されている制御通信装置２０に複数の入力キー４２０を持つ操作部３２０を内蔵させ、ここでは図示しない無線通信装置による操作は勿論のこと、制御通信装置２０に内蔵されている入力キー４２０による直接入力により電気機器の遠隔操作が可能となる。
【００７０】
例えば、入力キーによりここでは図示しないエアコンの温度を設定し、制御通信装置２０に内蔵の送受信部１２０からエアコン４０に内蔵の受信部１４０に情報を送ることによって、エアコンの温度を設定することが可能となる。
【００７１】
こうすることによって、無線通信装置のみならず制御通信装置本体からでも電気機器の遠隔操作をすることができる。
【００７２】
図４は本発明の一実施の形態の識別子管理装置と表示装置の一設置例を示すブロック図である。
【００７３】
図４に於いては、それぞれ電気機器と無線通信を行なう制御通信装置が接続されている電灯線１０に新たに識別子管理装置９０を接続している。識別子管理装置９０はそれぞれＩＤ２２０，２２４〜２３４を持っている制御通信装置２０，２４〜３４との間で電灯線を介して通信することができ、識別子管理装置９０は制御通信装置２０，２４〜３４がそれぞれ電気機器４０，４４〜５４を無線通信によって操作した内容を管理および保持する。
【００７４】
また、識別子管理装置９０はスケジュール機能を持っており、電気機器を操作したい内容とその日時を識別子管理装置９０によって設定し、設定された時間になると電灯線１０を介して電気機器４０，４４〜５４にそれぞれ対応している制御通信装置２０，２４〜３４に操作情報を送ることができる。
【００７５】
さらに、識別子管理装置９０は表示部８１を持つ表示装置８０と通信線で接続されており、識別子管理装置９０が得た電気機器の操作情報を通信線を介して表示装置８０へ送ることによって、電気機器４０，４４〜５４の現在の動作の状況を表示部８１に表示することができる。図５に表示の例を示す。
【００７６】
図４の実施の形態によれば、ユーザーが無線通信装置６０に電気温水器４５の設定温度の変更について入力し、送信部１６０から送られた無線信号を制御通信装置２０に内蔵の送受信部１２０が受信して、電気温水器４５と無線通信することができるＩＤ２２５を持つ制御通信装置２５に電灯線１０を介して操作情報を送り、この操作情報を得た制御通信装置２５は送受信部１２５から電気温水器４５に内蔵の受信部１４５に、操作情報を送ることにより電気温水器４５の温度を設定することができる。ここで、制御通信装置２５に内蔵の送受信部１２５から電気温水器４５に内蔵の受信部１４５に操作情報を送信する際、この操作情報を電灯線１０を介して識別子管理装置９０にも送信し、識別子管理装置９０がこの操作情報を受信して装置内に保持する。また、識別子管理装置９０が保持している電気温水器４５の操作情報を通信線を介して表示装置８０に送信し、表示装置８０がこの操作情報を受信して表示部８１に電気温水器４５の現在の設定温度を表示させることによって、ユーザーが電気温水器４５の現在の設定温度を表示装置８０によって確認することができる。
【００７７】
さらに、識別子管理装置９０にスケジュール機能を持たせることで、例えば２０○○年○○月○○日○○時○○分に電気温水器４５の設定温度を○○℃にするといったようなスケジュールを設定すると、指定の時刻になった際、識別子管理装置９０からＩＤ２２５を持つ制御通信装置２５に操作情報を送信することによって、電気温水器４５を指定の時刻に指定の温度を自動的に設定することができる。
【００７８】
こうすることで、それぞれ電気機器の現在の動作状況の管理および画面表示と、スケジュール機能設定による自動制御が可能となる。
【００７９】
図６は本発明の一実施の形態に於ける、表示装置の一設置例を示すブロック図である。
【００８０】
図６に於いては、部屋４に表示装置８０を設置した。表示装置８０には、制御通信装置３４に内蔵の送受信部１３４から送信された信号を受信することができる無線信号の受信部１８０を内蔵している。識別子管理装置９０から電灯線を介して送られた電気機器の操作情報を制御通信装置３４が受信し、それらの操作情報を送受信部１３４から送信し、表示装置８０に内蔵の受信部１８０によって受信することで表示部８１に電気機器の現在の動作状況を表示することができる。
【００８１】
図６の実施の形態によれば、前記の方法により識別子管理装置９０が保持している、例えば電気温水器４５の設定温度を変更したといったような操作情報を電灯線１０を介して制御通信装置３４に送信し、この操作情報を送受信部１３４から表示装置８０に内蔵の受信部１８０へ送信して表示装置８０が受信した操作情報を表示部８１に表示させることで、電気温水器４５の設定温度が変更されたことをユーザーが確認することができる。ここでは、受信部１８０が送受信部１３４からの信号を受けることができるとしたが、本発明はこれに限らず、送受信部１２０，１２４〜１３４の全てから信号を受けることが可能としても良い。そうすることで、表示装置８０を好きな部屋の好きな場所に設置できるようになり、また持ち運びも可能となる。
【００８２】
図７は本発明の一実施の形態に於いて、無線通信装置の一設置例を示すブロック図である。
【００８３】
図７に於いて、無線通信装置６０，７４〜７６は制御通信装置２０，２４〜３４に内蔵の送受信器１２０，１２４〜１３４の全てと無線通信できる送信部１６０，１７４〜１７６を内蔵している。従って、部屋１〜４にそれぞれ無線通信装置６０，７４〜７６を一台ずつ設置すれば電気機器全ての遠隔操作が可能となる。
【００８４】
図７の実施の形態によれば、無線通信装置６０，７４〜７６は全ての制御通信装置に制御情報を送信することが可能な送信部１６０，１７４〜１７６を内蔵しているため、無線通信装置６０、７４〜７６はどこの部屋でも使用することができる。例えば、ユーザーが無線通信装置６０を家庭内で自由に持ち歩きどこからでも電気機器を操作することができる。
【００８５】
図８は本発明の一実施の形態に於いて、表示装置の一実施例を示すブロック図である。
【００８６】
図８に於いて、表示装置８２は、制御通信装置２０，２４〜３４に内蔵の送受信部１２０，１２４〜１３４の全てと無線通信が可能な送受信部１８２を内蔵し、また、表示部８３がタッチパネル方式で全ての電気機器の操作情報を入力することも可能である。
【００８７】
図８の実施の形態によれば、送受信部１８２を持った表示装置８２の表示部８３がタッチパネル方式になっているため、例えば電気温水器４５の温度を設定したい時は画面を見ながら画面に触れるだけで、電気温水器４５の温度の設定が可能である。また、送受信部１８２は、制御通信装置２０，２４〜３４に内蔵の送受信部１２０，１２４〜１３４の全てと通信可能であるため、家庭内のいたるところで使用することができる。つまり、持ち運びが可能である。
【００８８】
図９は本発明の一実施の形態に於ける、制御通信装置の一実施例を示すブロック図である。
【００８９】
図９に於いて、エアコン４０に付属のリモコン５４０に内蔵する無線信号の送信部６４０から送信される制御信号を、制御通信装置２０に内蔵する送受信部１２０によって受信し、制御通信装置２０は受信した制御信号を記憶する。そして、無線通信装置６０に内蔵の送信部１６０から送信される無線信号を制御通信装置２０に内蔵の送受信部１２０によって受信し、前に記憶しておいた制御信号と後から受信した無線信号との関連付けを行なう。或いは、リモコン５４０でエアコン４０を操作した際の操作信号を制御通信装置２０に内蔵の送受信部１２０によって受信しここでは図示しない識別子管理装置に送信することで、無線通信装置６０ではなくリモコン５４０によるエアコン４０の操作情報も管理することが可能となる。また、エアコン４０本体の操作部で操作された情報を管理するために、それぞれ電気機器に送信部を設けても良い。
【００９０】
図９の実施の形態によれば、例えばエアコン４０の温度を設定するための無線信号をエアコン４０に付属のリモコン５４０に内蔵する送信部６４０から送信し、その無線信号を送受信部１２０で受信しその信号を制御通信装置２０が記憶する。さらに、無線通信装置６０に内蔵する送信部１６０から送信された無線信号も受信し、この無線信号と記憶してあるエアコン４０の温度設定用無線信号の関連付けを行なうことによって、制御通信装置２０を介して無線通信装置６０によるエアコン４０の温度の設定が可能となる。つまり、制御通信装置にこの機能を持たせることにより無線通信装置による電気機器の遠隔操作が可能となる。或いは、リモコン５４０でエアコン４０の温度を設定する際の操作信号を制御通信装置２０に内蔵の送受信部１２０によって受信しここでは図示しない識別子管理装置に送信することで、無線通信装置６０ではなくリモコン５４０によるエアコン４０の温度設定の操作情報も管理することが可能となる。また、エアコン４０にここでは図示しない送信部を内蔵させることで、エアコン４０本体で温度の設定がなされた際の操作情報を制御通信装置２０に送信し、制御通信装置２０から識別子管理装置９０に送信して、管理・保持することも可能となる。
【００９１】
図１０は本発明の一実施の形態に於ける、人体検知装置の一実施例を示すブロック図である。
【００９２】
図１０に於いて、人体検知装置３５は無線信号の送受信部１３５と各々を識別するためのＩＤ２３５を持ち、さらに電灯線１０に接続されている。人体検知装置３５が設置されている室内にて人体を検知すると、既に設定されている制御信号を制御通信装置２０に電灯線を介して送信し、それぞれ電気機器を制御することが可能となる。また、人体検知装置３５は送受信部１３５を内蔵しているため、無線通信装置６０に内蔵の送信部１６０から送信された制御信号を受信し、ここでは図示しない別室の制御通信装置に電灯線１０を介して制御信号を送信し、電気機器を遠隔操作することも可能である。さらに、送受信部１３５によって人体検知装置３５付近の電気機器に対しても制御信号を無線で送信し、制御することが可能である。
【００９３】
図１０の実施の形態によれば、部屋１において誰かが入室しそれを人体検知装置３５が検知した時は、例えば照明４１の電源をＯＮするという制御信号を電灯線１０を介してＩＤ２２０を持つ制御通信装置２０に送信し、無線通信によって照明４１をＯＮさせるといったような連動制御が可能である。あるいは人体検知装置３５に内蔵の送受信部１３５から無線信号を送信し照明４１をＯＮすることも可能である。逆に、人が退室した際は自動的に照明４１をＯＦＦするといった制御も可能である。したがって、部屋１に人がいなければ照明４１はＯＦＦ、人がいればＯＮするという操作を人体検知装置３５と制御通信装置２０の連動制御を行なうことで無駄な電力消費を極力抑えることが可能となる。
【００９４】
さらに、無線通信装置６０に内蔵の送信部１６０から例えばエアコン４０の温度を設定するための無線信号を送受信部１３５で受信し、エアコン４０に内蔵の受信部１４０に対して送信することでエアコン４０の温度を設定することも可能である。或いは、ここでは図示しない電気温水器の温度の設定も電灯線１０を介してＩＤ２２５を持つ制御通信装置２５に信号を送信することで、電気温水器４５を遠隔操作することが可能である。
【００９５】
したがって、人体検知装置３５と電気機器の連動制御を設定しておくことによって容易に電力の省エネを行なうことが可能となり、さらに制御通信装置と同様の機能を持たせることで、装置の設置個数を極力少なくすることが可能となる。
【００９６】
図１１は本発明の一実施の形態に於ける、制御通信装置の一実施例を示すブロック図である。
【００９７】
図１１に於いて、制御通信装置２０に音声受信部７２０を内蔵させ、音声を認識し無線通信或いは電灯線１０を介しての電気機器の操作を可能とする。
【００９８】
図１１の実施の形態によれば、例えばここでは図示しないエアコンの温度を設定する際、ユーザーが「○○（場所等）のエアコンの温度を○○℃」といったようなことを言えば、制御通信装置２０に内蔵する音声受信部７２０がこれを認識し信号化して送受信部１２０からエアコン４０に内蔵の受信部１４０に無線信号を送信することによってエアコン４０の温度の設定が可能となる。或いは、ここでは図示しない電気温水器の温度を設定したい時も同様に音声受信部７２０が受信した内容を信号化して電灯線１０を介してＩＤ２２５を持つ制御通信装置２５に送信し、制御通信装置２５に内蔵の送受信部１２５から電気温水器４５に内蔵する受信部１４５に送信することで、電気温水器４５の遠隔操作が可能である。
【００９９】
したがって、制御通信装置が音声受信部を内蔵することによって、ユーザーの音声を認識できるため、音声による家庭内の電気機器の遠隔操作が可能となる。
【０１００】
図１２は本発明の一実施の形態に於ける、温度、照度およびガス漏れ検知装置のそれぞれの一実施例を示すブロック図である。
【０１０１】
図１２に於いて、温度検知装置３６、照度検知装置３７、ガス検知装置３８はそれぞれ無線信号の送受信部１３６〜１３８とそれぞれを認識し制御通信装置２０、人体検知装置３５、温度検知装置３６、照度検知装置３７、ガス検知装置３８と相互通信を可能にするＩＤ２３６〜２３８を内蔵している。温度検知装置３６は、室内の温度を検知し温度が低ければ電灯線１０を介してＩＤ１２０を持つ制御通信装置２０に内蔵の送受信部１２０から、もしくは温度検知装置３６に内蔵の送受信部１３６からエアコン４０に内蔵の受信部１４０に制御信号を無線送信することでエアコン４０の温度の設定を可能とする。また、無線通信装置６０に内蔵の送信部１６０から送信された無線信号を温度検知装置３６に内蔵の送受信部１３６で受信し、それぞれ制御通信装置に電灯線１０を介して送信することによる遠隔操作も可能である。
【０１０２】
照度検知装置３７に関しては、上に示したのと同様の方法で部屋１の明るさを検知して照明４１を制御しようとするものである。ガス検知装置３８に関しては、ここでは図示しない例えばガスストーブ等の使用により、ガス漏れが発生したことを検知した際は、上に示したのと同様の方法でガスストーブの電源をＯＦＦにし、さらに表示装置８２にスピーカ１８４を内蔵することでガス検知装置３８がガス漏れを検知した際に、ここでは図示しない識別子管理装置にこの情報を送信し識別子管理装置９０はこの情報を保持する。そして、スピーカ１８４を内蔵する表示装置８２に内蔵の送受信部１８２に電灯線１０とそれぞれ制御通信装置に内蔵の無線信号送受信部を介して表示装置８２に制御信号を送信し、これを受信した表示装置８２はスピーカ１８４からユーザーに警報音を発することが可能となる。
【０１０３】
図１２の実施の形態によれば、温度検知装置３６に関しては、現在の室温を常時監視し、例えば設定温度より低ければ設定温度を上げる或いは風量を多くするといった信号を電灯線１０を介して制御通信装置２０に内蔵の送受信部１２０或いは温度検知装置３６自身に内蔵の送受信部１３６からエアコン４０に内蔵の受信部１４０に無線で送信することでエアコン４０を操作し、部屋１を常に快適な温度に保つことが可能となる。
【０１０４】
照度検知装置３７に関しては、部屋の明るさを常時監視し、例えば昼間窓から入ってくる光等によって部屋１内が設定された明るさ以上の明るさを持っている時は、人体検知装置３５が人の入室を検知しても照明４１の電源をＯＮしないといったような連動制御が可能となる。
【０１０５】
ガス検知装置３８に関しては、例えばここでは図示しないガスストーブ等からガス漏れがあった際、ガス検知装置３８がこれを検知してガスストーブとその他全ての電源をＯＦＦする制御信号を電灯線１０を介して制御通信装置２０に内蔵の送受信部１２０から、或いはガス検知装置３８に内蔵の送受信部１３８から無線信号をガスストーブとその他全ての電気機器に内蔵の無線信号受信部に送信することで室内全ての電気機器の運転を強制的に停止させることが可能となる。さらに、このガス漏れの情報を信号化してここでは図示しない識別子管理装置に送信し、識別子管理装置９０はこの情報を保持する。そして、識別子管理装置９０はスピーカ１８４を内蔵した表示装置８２に内蔵の送受信部１８２に電灯線１０とそれぞれ制御通信装置を介してスピーカ１８４から警報音を発生させるための制御信号を送信し、スピーカ１８４から警報音を発生させることによって、ユーザーにガス漏れがあったことを知らせ、どの部屋で起こったかも知らせることが可能となる。
【０１０６】
こうすることで、常時部屋の環境を管理し、他の制御通信装置との連動制御を行なうことで、自動的に電力を省エネできると共に、セキュリティ面においても強化することが可能となる。
【０１０７】
図１３は本発明の一実施の形態の制御通信装置の動作を示したフローチャートである。
【０１０８】
図１３に於いては、ここでは図示しない制御通信装置が受信待機９０１の状態にあるとする。次に９０２で入力した信号が電灯線からであるかを判別し、電灯線から入力されたのであれば、さらに９０３で信号に含まれるＩＤが表示装置のものであるかを判別し、そうであれば９０４表示装置へ信号を送信し再度受信待機９０１の状態に戻る。９０３で表示装置への信号でないと判別したら、９０５でこの制御通信装置のＩＤが信号に含まれているかを判別し、そうであれば９０６で各電気機器へ操作信号を送信し、再度９０１の受信待機の状態になる。また、９０５で含まれていないと判別した時は、この制御通信装置には関係のない信号であると判断し、入力した信号を破棄すると共に、再度９０１の受信待機の状態になる。９０２で電灯線からの入力でなければ９０７で無線受信かどうかを判別する。無線受信でないと判断されれば、次に９１０でここでは図示しない音声受信部による音声受信かを判別する。音声受信でなければ入力した信号を破棄すると共に、再度９０１の受信待機の状態になる。９０７に於いて無線受信であると判別されれば、９０８でここでは図示しない無線通信装置からの受信かを判別し、無線通信装置からの受信でなければ（例えば、電気機器付属のリモコン信号からの受信であった時）は、９１２で制御通信装置が信号波形の記憶モード状態にあるかどうかを判別する。９１２で記憶モードであると判別された時は、受信した信号波形を記憶し、記憶した状態のまま９０１の受信待機の状態になる。９１２で制御通信装置が記憶モードでないと判別されれば、９１４で受信した信号がどのような操作信号であるかを解析し、９１５でその情報をここでは図示しない識別子管理装置へ送信し、９０１の受信待機の状態になる。また、９０８において無線通信装置からの受信であると判別した時は、９０９で他の電気機器への信号か、つまりこの制御通信装置が対応していない電気機器への信号かを判別し、そうであれば９１６で電灯線用の伝送信号を作成し、９１７で電灯線へ出力し、９０１の受信待機の状態になる。９０９に於ける判別で、この制御通信装置が対応する電気機器への信号であるとした時は、９１８で識別子（ＩＤ）管理装置への信号かどうかを判別し、そうであれば９１６の伝送信号作成を行い、以下同様の動作を行なう。９１８でＩＤ管理装置への信号でないと判別されれば、９１９で記憶モード設定の信号かどうかを判別し、そうであればこの制御通信装置は９２０で信号波形記憶モードに設定され、先に記載した９１５以降の動作を行なう。９１９で記憶モード設定の信号でないと判別されれば次に９２１で、既に関連付けされた信号か、つまりここで受信した無線通信装置からの無線信号が何れかの電気機器の操作信号と既に関連付けされているかを判別し、そうであれば関連付けされている各電気機器の操作信号を９２２で各電気機器へ送信し、９０１の受信待機の状態になる。９２１で受信した信号がまだ関連付けされていないと判別されれば、９１３の動作で電気機器の操作信号波形がこの制御通信装置に記憶されているかを９２３に於いて判別し、そうでなければ前記の９１５以降の動作を行なう。９２３で信号波形が記憶されていると判別されれば、受信した無線信号が既に別の操作信号と関連付けされていないかを９２４で判別し、既に関連付けされている無線信号であるならば、前記の９１５以降の動作を行なう。まだ登録されていない無線信号であると９２４で判別されれば、受信した無線信号と記憶してある操作信号との関連付けの動作を９２５で行い、この関連付けの情報を９１５のＩＤ管理装置へ送信し、以降同様の動作を行なう。また、９１０に於いて音声を受信したと判別されれば、音声を９１１で制御信号に変換し９０９以降前記と同様の動作を行なう。
【０１０９】
また、制御通信装置２０へのＩＤの割当て方について図１４を用いて説明する。まず無線通信装置６０から送信された信号を制御通信装置２０が受信し、制御通信装置２０が現在ＩＤ設定モードに設定されているかを９２７で判別する、されていなければ受信した信号がＩＤ設定モードの設定信号かを判別し、そうでなければ図１３の９１８以降の動作を行なう。９２８でＩＤ設定モードの設定信号であると判別されれば、制御通信装置２０は９２９でＩＤ設定モードに設定され、設定された情報をＩＤ管理装置９０に送信し、９０１の受信待機の状態になる。制御通信装置２０が現在ＩＤ設定モードに設定されているならば９２７判別された後、受信信号がＩＤ割当て用の信号かを９３１で判別する。ＩＤ割当て用の信号でなければ９０１の受信待機の状態になる。ＩＤ割当て用の信号であるなら制御通信装置２０は受信した信号によって９３２でＩＤを割当てる。制御通信装置２０はＩＤが割当てられた旨の信号を電灯線１０を介してＩＤ管理装置９０に送信し、割当てたＩＤが未使用ＩＤであったかを９３３で判別し、既に使用されているＩＤであるなら、ここで割当てたＩＤを９３４削除し、再度受信待機の状態になる。未使用ＩＤであると判断されれば制御通信装置２０は、９３５でＩＤ設定モードを解除して、９０１の受信待機の状態になる。
【０１１０】
図１３の実施の形態によれば、図６を参照すると、部屋１の無線通信装置６０で部屋２の電気温水器４５の温度を設定しようとした時は、図１３のフローチャートにおいて制御通信装置２０の動作は、まず９０１の受信待機の状態で無線通信装置６０からパケット内にＩＤ２２５を含む無線信号を受信する、つまり９０２は“no”、９０７は“yes”、９０８は“yes”、９０９は“yes”となり、受信した無線信号を９１６で送信先のＩＤ２２５を含む伝送信号に変換して、９１７で電灯線１０へ出力する。次に制御通信装置２５の動作は、制御通信装置２０から電灯線１０を介して送られてきた伝送信号をＩＤ２２５を持つ制御通信装置２５が受信するので、９０２は“yes”、９０３は“no”、受信した信号に含まれるＩＤが２２５で制御通信装置２５のＩＤが２２５であるため、９０５は“yes”、したがって９０６の動作で、制御通信装置２５に内蔵の送受信部１２５から電気機器である電気温水器４５に内蔵の受信部１４５に操作信号を送信することで電気温水器４５の温度設定が可能となる。つまり、無線通信装置６０による電気温水器４５の遠隔操作が可能となる。また、電灯線１０を介して制御通信装置２９も同じ伝送信号を受信するが、制御通信装置２９が持つＩＤは２２９であるため、図１３の９０５で“no”となり受信した伝送信号は破棄され９０１の受信待機の状態になる。
【０１１１】
次に、図６と図１３を用いて電気機器付属のここでは図示しないリモコンから送信されるそれぞれ電気機器の操作信号と、無線通信装置６０から送信される無線信号との関連付けの動作について説明する。ここでは、エアコン４０に付属のリモコンによるエアコン４０の温度設定の操作信号と無線通信装置６０による任意の無線信号の関連付けについて説明する。まず、制御通信装置２０を「記憶モード」に設定するための無線信号を無線通信装置６０から送信する。その時の制御通信装置２０の動作は、９０１の受信待機の状態から記憶モード設定用の信号を受信したので、９０２は“no”、９０７は“yes”、９０８は“yes”、９０９は“no”、９１８は“no”、９１９は“yes”となり、９２０で制御通信装置は記憶モードに設定され、さらに記憶モードに設定されたという情報を９１５でＩＤ（識別子）管理装置９０に送信し、９０１の受信待機の状態になる。次に、エアコン４０に付属のリモコンによるエアコン４０の温度設定用の操作信号を制御通信装置２０が記憶する動作は、９０１の受信待機の状態でエアコン４０に付属のリモコンから送信されるエアコン４０の温度設定の操作信号を受信するので、９０２は“no”、９０７は“yes”、付属リモコンからの受信であるため９０８は“no”、制御通信装置２０は、先の９２０にて記憶モードに設定されているので９１２は“yes”となり、制御通信装置２０は９１３でエアコン４０の温度設定の操作信号波形を記憶し、再び９０１の受信待機の状態になる。さらに無線通信装置６０による無線信号と記憶した操作信号との関連付けの動作を説明する。制御通信装置２０は９０１の受信待機の状態で、無線通信装置６０から送信される任意の無線信号を制御通信装置２０が受信するので、９０２は“no”、９０７は“yes”、９０８は“yes”、９０９は“no”、９１８は“no”、９１９は“no”、今から関連付けしようとしている信号を受信しているので９２１は“no”、制御通信装置２０は先の９１３で操作信号波形を記憶しているので９２３は“yes”、まだ関連付けされていない無線信号を受信したとして９２４は“yes”となり、ここで受信した無線信号と先に記憶しておいた操作信号との関連付けの動作を９２５で行い、その後９２６で記憶モードを解除して、関連付けされた情報を９１５でＩＤ（識別子）管理装置９０に送信し、受信待機の状態になる。尚、受信した無線信号が他の操作信号と既に関連付けされている時は、操作信号との関連付けの重複を避けるため９２４で“no”となり、ＩＤ（識別子）管理装置９０にその旨の情報を送信する。こうすることにより、制御通信装置２０によるエアコン４０の温度設定が可能となる。
【０１１２】
また図１４に於いて、制御通信装置へのＩＤの割当て方についてだが、例えば、制御通信装置２０にＩＤ２２０を割当てる場合は、まずユーザーが無線通信装置６０を操作することで制御通信装置２０をＩＤ設定モードに設定する。つまり、図１４に於いて、９２７は“no”、９２８は“yes”となり、９２９でＩＤ設定モードに設定され、受信待機の状態になる。尚この時、９３０に於いて、制御通信装置２０は電灯線１０を介してＩＤ（識別子）管理装置９０にＩＤ設定モードに設定された旨の情報を送信し、識別子管理装置９０はこの情報を受信すると未使用ＩＤリストを表示装置８０の表示部８１に表示させる。次に、無線通信装置６０から制御通信装置２０にＩＤ２２０を割当てる為の信号を送信する。つまり、図１４に於いて、先程９２９でＩＤ設定モードに設定したので９２７は“yes”、ＩＤ割当て用の信号を受信したので９３１は“yes”となり、制御通信装置２０は９３２でＩＤ２２０を割当てれれる。この設定の情報を９３３で電灯線１０を介してＩＤ（識別子）管理装置９０に送信し、ＩＤ管理装置９０によってＩＤ２２０が未使用のＩＤだと判断されれば（９３３）、９３５でＩＤ設定モードを解除して、９０１の受信待機の状態になる。９３３でＩＤ２２０が既に使用されているＩＤだと判断されれば、制御通信装置２０は一度割当てたＩＤ２２０を削除して、ＩＤ設定モードのまま、９０１の受信待機の状態になる。
【０１１３】
尚、９２９で制御通信装置２０がＩＤ設定モードに設定された際、９３０に於いて、ＩＤ設定モードに設定された旨の情報をＩＤ管理装置９０が受信した際、ＩＤ管理装置９０は未使用ＩＤのリストを電灯線１０を介して表示装置８０に送信する。ユーザーは表示装置８０の表示部８１に表示されている未使用ＩＤリストを見て任意の未使用ＩＤを選び、無線通信装置６０にＩＤ２２０を入力し、制御通信装置２０に送信し、この信号を受信した制御通信装置２０はＩＤ２２０を割当てられる。尚、ＩＤ２２０が既に他の制御通信装置に割当てられているＩＤであった場合は、表示装置８０の表示部８１に表示されている未使用ＩＤリストの中にＩＤ２２０は表示されず、ユーザーは別の未使用ＩＤを選択することになる。さらに、ＩＤ２２０が未使用ＩＤリストに載っていないにもかかわらずＩＤ２２０を割当てようとした時は、受信した制御通信装置２０はとりあえずＩＤ２２０を割当てられるが、電灯線１０を介してこの情報を受信した識別子管理装置９０がＩＤ２２０が既に別の制御通信装置に割当てられている旨を表示装置８０に表示させると共に、制御通信装置２０に割当てられたＩＤ２２０を破棄するための制御信号を電灯線１０を介して送信し、この信号を受信した制御通信装置２０は割当てられたＩＤ２２０を破棄する。こうすることで、制御通信装置に割当てられるＩＤの重複を避けることが可能となる。
【０１１４】
【発明の効果】
本発明によれば、住宅に既設の電灯線を使用した家庭内ネットワークを構築することで導入の簡素化を図り、制御通信装置によって相互通信を可能にすることで家庭内の消費電力を極力少なくすることができ、またセンサー等を設置することで自動化を図り容易に電力省エネを実現できる制御通信装置を使用した家庭内ネットワークを提供することが可能となる。
【図面の簡単な説明】
【図１】本発明の制御通信装置の実施形態を示すブロック図である。
【図２】本発明の実施の形態を示すブロック図である。
【図３】図１あるいは図２に示す制御通信装置の一実施の形態を示すブロック図である。
【図４】本発明の識別子管理装置および表示装置の一実施の形態を示すブロック図である。
【図５】図５に示す表示装置の一実施の形態を示す図である。
【図６】図５あるいは図６に示す表示装置の一実施の形態を示すブロック図である。
【図７】本発明の無線通信装置の一実施の形態を示すブロック図である。
【図８】図５，６あるいは７に示す表示装置の一実施の形態を示すブロック図である。
【図９】図１，２，３あるいは４に示す制御通信装置の一実施の形態を示すブロック図である。
【図１０】本発明の人体検知装置の一実施の形態を示すブロック図である。
【図１１】図１，２，３，４あるいは１０に示す制御通信装置の一実施の形態を示すブロック図である。
【図１２】本発明の一実施の形態を示すブロック図である。
【図１３】本発明の制御通信装置の一動作概略を示すフロー図である。
【図１４】本発明の制御通信装置の一動作概略を示すフロー図である。
【符号の説明】
１〜４…部屋、１０…電灯線、１１、１２…ＡＣコンセント
２０、２４〜３４…制御通信装置、３５…人体検知装置
３６…温度検知装置、３７…照度検知装置、３８…ガス検知装置
４０、５１…エアコン、４１、５０、５４…照明、４２…温水洗浄便座
４３、４６…換気扇、４４…食器洗浄機、４５、４９…電気温水器
４７、４８…給湯器、５２…浴室乾燥機、５３…気泡風呂
６０、６４〜７６…無線通信装置、８０、８２…表示装置
８１、８３…表示部、９０…識別子管理装置、１００…通信線
１２０、１２４〜１３８、１８２…送受信部
１４０〜１５４、１８０…受信部
１６０、１６４〜１７６、６４０…送信部
１８４…スピーカ、２２０、２２４〜２３８、２８０…識別子
３２０…操作部、４２０…操作キー、５４０…リモコン
７２０…音声受信部、８２０、８４０…ＡＣコード
【図１】
2004201200.tif 000003
【図２】
2004201200.tif 000004
【図３】
2004201200.tif 000005
【図４】
2004201200.tif 000006
【図５】
2004201200.tif 000007
【図６】
2004201200.tif 000008
【図７】
2004201200.tif 000009
【図８】
2004201200.tif 000010
【図９】
2004201200.tif 000011
【図１０】
2004201200.tif 000012
【図１１】
2004201200.tif 000013
【図１２】
2004201200.tif 000014
【図１３】
2004201200.tif 000015
【図１４】
2004201200.tif 000016